(57)【要約】【課題】コンパクト化及びローコスト化を図る。【解決手段】巻き取り部１２は、面発光部を有する弾性自在な照明シート１１を後端からロール状に巻き取る巻き取り室を備えている。引き出し部１３は、照明シート１１の先端が固定されており、巻き取り部１２から離間することで照明シート１１を帯状に引き出す。巻き取り部１２と引き出し部１３は、互いに密着される合わせ面１２ａ，１３ａがそれぞれ設けられている。合わせ面１２ａ，１３ａには、それぞれ磁石２３〜２６が設けられている。合わせ面１２ａ，１３ａ同士を磁着させることで、外形輪郭が略円形になる。【選択図】 図４
2011049411.tif 000002
【特許請求の範囲】
【請求項１】
発光素子を用いた発光面を有する可撓性の発光シートと、
前記発光シートを一端から巻き取る巻き取り室を内蔵する巻き取り部と、
前記発光シートの他端が固定されており、前記巻き取り部から離間することで前記発光シートを引き出す引き出し部と、を備えた発光装置において、
前記巻き取り部と前記引き出し部とに、相手側取り付け対象になる被取付部との間で着脱自在に固定される固定部材を設けたことを特徴とする発光装置。
【請求項２】
前記引き出し部と前記巻き取り部とは、互いを合わせるための合わせ面をそれぞれ有し、双方の合わせ面に前記固定部材が設けられており、互いの合わせ面を合わせたときに平面外形輪郭が略円形、又は多角形になることを特徴とする請求項１記載の発光装置。
【請求項３】
前記巻き取り室に回転自在に設けられ前記発光シートの一端が固定されている巻き取り軸が回転する動作、又は前記巻き取り部を振る動作により発電する発電機と、
前記発電機で発電された交流電流を直流電流に変換する整流器と、
前記直流電流を蓄える蓄電池と、を備え、前記発光素子は、蓄電池に蓄えた直流電流を利用して発光することを特徴とする請求項１又は２記載の発光装置。
【請求項４】
前記巻き取り室に回転自在に設けられ前記発光シートの一端が固定されている巻き取り軸と、
前記巻き取り部の外部に設けられている送り出し操作部材と、
前記巻き取り軸を引き出し方向に駆動するモータと、
前記巻き取り軸の引き出し量を検出する送り出し量検出部と、
前記送り出し操作部材の操作に応答して前記モータを駆動する制御部と、を備えていることを特徴する請求項１ないし３いずれか記載の発光装置。
【請求項５】
前記巻き取り室に回転自在に設けられ前記発光シートの一端が固定されている巻き取り軸と、
前記巻き取り軸を引き出し方向に駆動するモータと、
発話時の音声が入力される音声入力部と、
入力された音声の特徴データを抽出する音声抽出部と、
前記音声の特徴データと予め決められている特定の音声の特徴データとを照合する音声照合部と、
前記照合部による照合結果が一致した場合に前記モータを駆動する制御部と、を備えていることを特徴とする請求項１ないし３いずれか記載の発光装置。
【発明の詳細な説明】
【技術分野】
【０００１】
本発明は、巻き取り部に設けた巻き取り室にロール状に収納した弾性自在な発光シートを引き出して、発光シートの発光面を面発光させる照明装置、又は発光面で画像を表示する表示装置を含む発光装置に関するものである。
【背景技術】
【０００２】
従来、コンパクトに収納でき、また持ち運びが簡便になる表示装置が知られている（特許文献１）。この表示装置には、表示部、丸棒形状の巻き取り部、及び丸棒形状の引き出し部で構成されている。表示部は、有機ＥＬ素子ディスプレイや発光素子等を用いた巻き取り可能なシート状になっている。巻き取り部の内部には、表示部を巻き取るための収納室を持っている。収納室には、軸が設けられており、軸には、表示部の一端部が接続されている。引き出し部には、表示部の他端部が接続されている。引き出し部を巻き取り部から離間して表示部を帯状に引き出して使用する。この表示装置には、引き出した表示部を弛ませることなく緊張状態に保持するために、表示部の背面に保持部が設けられている。この保持部は、平行リンク機構を構成するように複数のレール部材を組み合わせてなり、表示部の引き出しに伴って複数のレール部材を折り畳み状態から伸長状態に展開することで表示部を弛みのない緊張状態に保持している。
【先行技術文献】
【特許文献】
【０００３】
【特許文献１】特開２００５−２４９８２８号公報
【発明の概要】
【発明が解決しようとする課題】
【０００４】
しかしながら、特許文献１に記載の発明の保持部は、複数のレール部材を組み合わせているため、折り畳んだ状でも表示部の裏面から出っ張っている。このため、表示部を巻き取った不使用状態では、巻き取り部、及び引き出し部との２本の丸棒形状を合わせることに加えて、保持部を折り畳んだ分が増える。このため、コンパクト化を疎外し、携帯性の面で低下していた。また、保持部を複数のレール部材で作っているため、コストが高く付く。
【０００５】
本発明は、前述した問題点を解決するためになされたものであり、ローコストで、かつ簡便に発光シートを弛み無く緊張状態に保持することができる発光装置を提供することを目的とする。
【課題を解決するための手段】
【０００６】
上記の目的を達成するために、本発明の発光装置では、発光シートをロール状に収納する巻き取り部と、巻き取り部から離間されることで発光シートを帯状に引き出す引き出し部とに、相手側取り付け対象になる被取付部との間で着脱自在に固定される固定部材をそれぞれ設けたものである。固定部材としては、磁石、吸盤、あるいはマジックテープ（登録商標）等を用いるのが好適である。発光素子としては、例えば、有機ＥＬ素子や無機ＥＬ素子等のエレクトロルミネッセンスを利用する面発光素子が好適である。
【０００７】
巻き取り部と引き出し部とに、互いを合わせるための合わせ面をそれぞれ設け、また、双方の合わせ面に固定部材を設ける。そして、互いの合わせ面を合わせたときに外形輪郭が略円形、又は多角形になるように構成すると、発光シートを巻き取った不使用状態のときに、ひとまとまりになった長物部材として携帯することができるので簡便である。
【０００８】
引き出し部を巻き取り部に対して離間させると、発光シートが巻き取り室から引き出されて使用状態になる。固定部材、例えば磁石を被取付部、例えばホワイトボードやキャビネットに固定することで、発光シートを弛みなく緊張状態にして保持することができる。巻き取り部の外部に発光操作部材を設け、発光操作部材を操作することに応答して発光部を発光させる。発光部を白色で面発光させることで照明装置として使用することができ、また、発光部に画像を表示することで表示装置として使用することができる。
【０００９】
電源としては、交換式の電池を内蔵することでコードレスになるので簡便である。また、電池の代わりに、発電機構を設けてもよい。この場合には、巻き取り軸が回転する動作又は巻き取り部を振る動作により発電する発電機と、発電機で発電された交流電流を直流電流に変換する整流器と、直流電流を蓄える蓄電池と、を備え、蓄電池に蓄えた直流電流を利用して発光部を発光させればよい。
【００１０】
また、送り出し操作を自動的に行うようにしてもよい。この場合には、巻き取り室に設けられ発光シートの一端が固定されている巻き取り軸と、巻き取り部の外部に設けられている送り出し操作部材と、巻き取り軸を引き出し方向に駆動するモータと、巻き取り軸の引き出し量を検出する送り出し量検出部と、送り出し操作部材の操作に応答してモータを駆動する制御部と、を備えればよい。
【００１１】
さらに、特定の音声に応答して発光シートを自動的に送り出すように構成してもよい。この場合には、巻き取り軸を引き出し方向に駆動するモータと、発話時の音声が入力される音声入力部と、入力された音声の特徴データを抽出する音声抽出部と、前記音声の特徴データと予め決められている特定の音声の特徴データとを照合する音声照合部と、照合結果が一致した場合に前記モータを駆動する制御部と、を備えればよい。
【発明の効果】
【００１２】
本発明の発光装置は、巻き取り部と引き出し部とに固定部材をそれぞれ設けたから、発光シートを弛みなく緊張した状態で取り付けることができる。
【図面の簡単な説明】
【００１３】
【図１】本発明の照明装置を示す斜視図であり、照明シートを引き出した状態を示している。
【図２】照明装置の断面図であり、照明シートを巻き込んだ状態を示している。
【図３】照明装置の背面側斜視図であり、照明シートを引き出した状態を示している。
【図４】照明装置を略丸棒形状の不使用状態にする手順を示す説明図である。
【図５】巻き取り部の内部構造を示す説明図である。
【図６】照明装置を行灯型で使用する状態を示す斜視図である。
【図７】フックを設けた別の実施形態を示す斜視図である。
【図８】本発明の表示装置の実施形態を示す説明であり、巻き取り部の内部構造を示している。
【図９】巻き取り軸の回転を利用して発電する実施形態を示す説明図である。
【図１０】巻き取り部を長手方向に振ることで発電する実施形態を示す説明図である。
【図１１】送り出し操作部材を操作することに応答して照明シートを自動的に送り出す実施形態を示す説明図である。
【図１２】特定の音声を認識することに応答して照明シートを自動的に送り出す実施形態を示す説明図である。
【発明を実施するための形態】
【００１４】
照明装置１０は、図１に示すように、照明シート（本発明の発光シート）１１、巻き取り部１２、及び引き出し部１３が設けられている。照明シート１１は、可撓性を有する横長シート状に作られている。照明シート１１の内部には、有機ＥＬ素子を内蔵した発光部を有している。発光部は、巻き取り部１２から延出された一方の面（表面）に表れる矩形枠が発光面１４になっている。なお、発光部としては、無機ＥＬ素子、又はＬＥＤの発光素子を内蔵したものであってもよい。巻き取り部１２には、外部に、点灯操作部材（発光操作部材）１５、巻き取り操作部材１６、電池交換用蓋１７、及び照明シート１１の一端が出入りするスリット１８が設けられている。
【００１５】
巻き取り部１２の内部には、図２に示すように、スリット１８に繋がる巻き取り室１９が設けられている。巻き取り室１９には巻き取り軸２０が回転自在に設けられており、巻き取り軸２０には、照明シート１１の一端１１ａが固定されている。引き出し部１３には、照明シート１１の他端１１ｂが固定されている。巻き取り部１２の内部には、巻き取り室１９とは別の小部屋２１が設けられており、この小部屋２１に有機ＥＬ素子を駆動するための点灯回路等が収納されている。
【００１６】
引き出し部１３と巻き取り部１２とには、互いを密着させるための平らな合わせ面１２ａ，１３ａがそれぞれ設けられている。照明装置１０は、合わせ面１２ａ，１３ａを合わせたときに、平面から見て外形輪郭が略円形になる。なお、互いを合わせたときの外形輪郭としては、携帯し易い形状であれば、例えば楕円形、あるいは多角形等にしてもよい。合わせ面１２ａ、１３ａには、図３に示すように、複数の磁石２３〜２６がそれぞれ埋め込まれている。互いを合わせたときには、図４に示すように、磁石２３が磁石２５に、磁石２４が磁石２６にそれぞれ磁着することで略円形の外形輪郭をした棒形状に保持される。なお、各合わせ面１２ａ，１３ａに設ける磁石２３〜２６の数は、２個に限らず、１個でもよいし３個以上でもよい。
【００１７】
巻き取り軸２０には、図５に示すように、ロック機構付き巻取機構２８が連結されている。ロック機構付き巻取機構２８は、巻上スプリング２９、爪歯車３０、ストップレバー３１、バネ３２、及び巻き取り操作部材１６等で構成されている。巻上スプリング２９は、巻き取り軸２０を巻き取り方向に付勢する。爪歯車３０は、複数の逆止爪を周面に設けた逆止爪列を有し、巻き取り軸２０と一体に回転する。ストップレバー３１は、先端に送り爪を有しており、ロック位置とロック解除位置との間で回転自在に設けられ、バネ３２によりロック位置に向けて付勢されている。ロック位置では、送り爪が前記逆止爪列のうちの何れかの逆止爪に係合した状態になり、この状態では巻き取り軸２０の引き出し方向への回転を許容し、かつ巻き取り方向への回転をロックする。ロック解除位置では、送り爪が逆止爪列から退避して前記ロックを解除する。巻き取り操作部材１６は、一部がストップレバー３１のうちの回転軸を挟んだ後端に当接しており、ストップレバー３１をロック位置に保持する初期位置と、ストップレバー３１を解除位置に回転させる押圧位置との間で変位し、バネ（図示せず）により初期位置に向けて付勢されている。
【００１８】
引き出し部１３を巻き取り部１２から引き出すと、送り爪が逆止爪を乗り越えるためストップレバー３１が巻き取り軸２０の引き出し方向への回転を許容する。引き出し操作を所定長さで止めると、送り爪が逆止爪に係合して巻き取り軸２０の巻き取り方向への回転をロックする。収納時には、巻き取り操作部材１６を押圧位置に押し込むことで、ストップレバー３１がロック解除位置に回転するため、巻き取り軸２０が巻上スプリング２９の付勢により照明シート１１を自動的に巻き込む。なお、ロック機構付き巻取機構２８としては、本発明の好適な実施形態の一例を示すものであり、本発明はそれに限定されるものではなく、その要旨を逸脱しない範囲内において、種々変形実施が可能である。
【００１９】
発光部は、表面側となる樹脂基板、陽極、有機層、陰極、及び裏面側となる樹脂基板とを順に積層して形成されている。表面側の樹脂基板は、透明かつ防湿性を有する。陽極は、は、平行な複数のストライプ状の透明電極からなる。有機層は、各陽極と垂直に交差するようにかつ複数のストライプ状に積層された赤色、緑色、及び青色に発色する蛍光色素部を形成する白色発光層である。陰極は、同じく各陽極と垂直に交差するように複数のストライプ状に形成されている。裏面側の樹脂基板は、透明かつ防湿性を有している。なお、裏面側の樹脂基板は、透明でなくてもよい。また、有機層としては、白色発光ＥＬ材料とカラーフィルターを組み合わせた構成のもでもよい。
【００２０】
各陽極と各陰極が交差する領域にＥＬ素子が形成されており、EL素子がマトリックス状に複数集合して発光部を形成する。各陽極の一端は、発光部の周辺外部に端子群として露呈されており、陽極用の端子群は陽極引き出し部を構成する。また、各陰極の一端も同様に発光部の周辺外部に端子群として露呈されており、陰極用の端子群は、陰極引き出し部を構成する。
【００２１】
巻き取り軸２０の一端には、有機ＥＬ素子に接続されている複数の摺動リング３５と、各摺動リング３５に摺動する複数の摺動子３６とからなる摺動式の接続端子が設けられている。各摺動子３６は点灯回路３７に接続されており、接続端子は巻き取り軸２０の回転を許容しながら電気的接続を維持する。点灯回路３７は、陽極引出部に接続されているデータドライバ３７ａと陰極引出部に接続されている走査ドライバ３７ｂを有している。
【００２２】
電池交換用蓋１７は、巻き取り部１２の軸方向の端に着脱自在に取り付けられている。点灯回路３７は、点灯操作部材１５がオンすることに応答して電源電池３８から供給される入力電流を発光部に供給電流として供給する。発光部は、赤色、緑色、及び青色を合成して作った白色光を発光する。これにより自然でやわらかい色合いで、かつ紫外線も含まない目にやさしい光が得られる。なお、発光部としては、有機ＥＬ素子を複数用いて構成したものでもよい。この場合には、複数の有機ＥＬ素子を並列に接続して成る発光部を用いればよい。
【００２３】
巻き取り部１２と引き出し部１３との合わせ面１２ａ，１３ａに磁石２３〜２６をそれぞれ設けているため、例えばホワイトボードやキャビネット等に磁着すれば、照明シート１１を弛みなく緊張した平面状態に維持することができる。勿論、磁石２３〜２６の代わりに、吸盤やマジックテープ（登録商標）等の固着部材を設けても良い。
【００２４】
有機ＥＬ素子は、発光面から均一な明かりを得られるというメリットがある。非常に薄型なので、壁や天井などにパネル状に張り付けることで部屋の一面そのものを照明にすることが可能である。
【００２５】
また、図６に示すように、照明シート１１を延出した状態で巻き取り部１２と引き出し部１３との合わせ面１２ａ，１３ａを磁石２３〜２６で磁着し、かつ照明シート１１を丸めて行灯型にすれば、例えば和室の隅に据置して間接照明として使用することができる。
【００２６】
さらに、図７に示すように、巻き取り部１２にフック４０を設け、磁石２３〜２６を利用できない環境下では、フック４０を利用して、例えばテント内に吊り下げて照明として使用してもよい。このような使い方をしても、引き出し部１３の重みで照明シート１１を弛みなく延出した状態に維持することができる。なお、フック４０としては、使用しないときには巻き取り部１２の合わせ面１２ａに設けた凹部４１に収納することができる折り畳み構造のものが好適である。
【００２７】
次に、本発明の表示装置を説明する。表示装置３９は、前述した照明装置の照明シートの代わりに、図示していない表示シート（本発明の発光シート）を用いる。また、点灯操作部材１５の代わりに、図８に示すように、表示操作部材４２が設けられている。
【００２８】
表示シートには、有機ＥＬ素子を用いた表示部が内蔵されている。表示部を駆動する駆動回路としては、画像表示制御部４３、データドライバ４４、走査ドライバ４５、及びメモリ４６等で構成される。画像表示制御部４３には、メモリカード用のドライブ４７が接続されている。ドライブ４７のスロット４８は、巻き取り部１２の外部に露呈している。スロット４８にはメモリカード４９が着脱自在に挿入される。
【００２９】
ドライブ４７は、メモリカード４９に記憶されている画像データを読み取り、その画像データを画像表示制御部４３に送る。画像表示制御部４３には、メモリ４６が接続されており、読み出した画像データはメモリ４６に格納される。画像表示制御部４３は、表示操作部材４２の操作に応答して、メモリ４６に格納した画像データに基づいて走査信号とデータ信号を生成し、走査信号を走査ドライバ４５に、データ信号をデータドライバ４４にそれぞれ送る。走査ドライバ４５は、走査信号に対して増幅等の予め設定した処理を施した後に摺動式の接続端子を介して表示部に送る。他方、データドライバ４４は、データ信号に対して同様の増幅等の予め設定された処理を施した後に、摺動式の接続端子を介して表示部に送る。走査信号は表示部の各陰極の一端部である陰極引出部に供給され、また、データ信号は、表示部の各陽極の一端部である陽極引出部に供給される。これら走査信号とデータ信号が各々陰極引出部と陽極引出部とに供給されるごとに表示部の表示面に画像が表示される。
【００３０】
なお、前述した照明装置１０、及び表示装置３９は、電源電池３８を使用しているが、巻き取り部１２の内部に電源回路を、また巻き取り部１２の外部に電源コネクタをそれぞれ設けて、商用電源を利用してもよい。前記電源回路としては、例えばトランス、整流器、及び平滑化コンデンサ等からなる交流−直流変換回路をもって構成することができる。また、表示装置３９としては、例えばＵＳＢ端子やＬＡＮ端子等の画像データ入力用の外部接続端子を巻き取り部１２の外部に設け、外部から直接に画像データを取り込むように構成してもよい。また外部接続端子の代わりに、無線ＬＡＮ機能を巻き取り部１２の内部に搭載して画像データを無線で取り込むようにしてもよい。
【００３１】
上記各実施形態では、電源電池３８、又は商用電源を利用しているが、図９に示すように、巻き取り軸２０に発電機５２を連結し、発電機５２から得られる電源を利用して照明部、あるいは表示部等を駆動してもよい。この場合には、発電機５２で発電された交流電流を整流回路５３で直流電流に変換して蓄電池５４に送り、蓄電池５４に蓄えられた電源を利用して画像表示制御部４３等の各回路を駆動すればよい。発電機５２を巻き取り部１２に内蔵することでコンパクトな形状を維持することができる。
【００３２】
図９で説明した発電機５２は巻き取り軸２０の回転を利用して発電するものであるが、図１０に示す発電機５５は、巻き取り部１２を長手方向に振ることで発電するタイプである。巻き取り部１２の内部に長手方向に長くしたスペースが形成されており、このスペースの中に、発電機５５を構成するコイル５６と可動式の磁石５７が置かれていて、振ると磁石５７がコイル５６の中を往復して発電する。
【００３３】
なお、発電機の代わりに、太陽電池パネルを用いても良い。太陽電池パネルは、太陽電池（セル）を複数枚直並列接続して必要な電圧と電流を得られるようにしたパネル状のものである。この太陽電池パネルの発生電力を整流器で整流し、整流した電力の電圧変換を直流変換器で変換して、電圧変換した電力を蓄電池で蓄電して使用すればよい。太陽電池パネルは、巻き取り部の表面に設けても良いし、照明シート１１、又は表示シートの裏面に取り付けてもよい。       
【００３４】
上記各実施形態では、照明シート１１、又は表示シートを手動で引き出すようにしているが、この引き出しを自動的に行うように構成してもよい。この場合には、図１１に示すように、送り出し操作部材６０を巻き取り部１２の外部に設け、また巻き取り部１２の内部に制御部６１、ドライバ６２、モータ６３、及び送り出し量検出部６４を内蔵する。送り出し操作部材６０の操作に応答して制御部６１がモータ６３を送り出し方向に駆動するようにドライバ６２を制御する。モータ６３の回転軸は巻き取り軸２０に連結されている。送り出し操作部材６０を再び操作すると、制御部６１がモータ６３の駆動を停止する。送り出し操作部材６０を繰り返し操作することで引き出し量を調節することができる。
【００３５】
最大引き出し量に到達した場合には、送り出し量検出部６４がその旨の信号を制御部６１に送ることで、制御部６１がモータ６３の駆動を停止する。送り出し量検出部６４としては、巻き取り軸２０、又はモータ６３の回転角を検出するロータリ・エンコーダを用いるのが好適である。送り出し量検出部６４が最大送り出し量を検知している場合に送り出し操作部材６０を操作すると、制御部６１は、モータ６３を逆方向に駆動して巻き取る。送り出し量がゼロである初期位置を検出すると、制御部６１はモータ６３の駆動を停止する。なお、過負荷保護の目的で、モータ６３と巻き取り軸２０との間にトルクリミッターを設けておくのが好適である。
【００３６】
また、特定の音声に反応して自動的に引き出すように構成してもよい。この場合には、図１２に示すように、マイク６６、アンプ６７、Ａ／Ｄ６８、メモリ６９、Ｄ／Ｂ（データーベース部）７０、制御部７１、モード切替操作部材７２、送り出し量検出部６４、ドライバ６２、及びモータ６３を設ける。送り出し量検出部６４、ドライバ６２、及びモータ６３は、図１１で説明したものと同じ構成であるので、同符号を用いて詳しい説明を省略する。
【００３７】
マイク６６は、音声を取得して音声信号をアンプ６７に出力する。アンプ６７は、音声信号を増幅してＡ／Ｄ６８に出力する。Ａ／Ｄ６８は、アナログの音声信号をデジタルの音声信号に変換して制御部７１に送る。メモリ６９は、取得した音声信号を一旦記憶するためのものである。Ｄ／Ｂ７０には、基準となる特定の音声の特徴データが登録される。制御部７１は、入力される音声信号から音声の特徴データを抽出して、そのデータとＤ／Ｂ７０に格納されている基準の音声の特徴データとを照合し、一致することに応答してドライバ６２を介してモータ６３の駆動を制御する。モード切替操作部材７２は、登録モードと通常モードを切り替えるための操作部であり、巻き取り部１２の外部に露呈して設けられている。
【００３８】
登録モードに切り替えることで、制御部７１は入力された音声信号を特定の音声信号としてその特徴データを抽出してＤ／Ｂ７０に登録する。Ｄ／Ｂ７０には、マイク６６からの入力より不特定話者の任意の単語を複数登録することができる。通常モードでは、制御部７１が特定の音声を認識することに応答してドライバ６２を介してモータ６３を駆動して照明シート１１、又は表示シートを延出させる。なお、表示シートの場合には、計数回路（タイマ回路）を設けて、一定時間経過後に自動的に巻き取るように構成してもよい。なお、前述したマイク６６、アンプ６７、及びＡ／Ｄ６８が本発明の音声入力手段に、制御部７１が音声抽出部に、制御部７１とＤ／Ｂ７０が音声照合部に、それぞれ相当する。
【産業上の利用可能性】
【００３９】
本発明は、撮像画像や再生画像を表示する表示部を有するデジタルカメラや情報を表示する表示部を有する情報表示端末装置等にも適用することができる。
【符号の説明】
【００４０】
１０  照明装置
１１  照明シート
１２  巻き取り部
１３  引き出し部
２３〜２６  磁石
【図１】
2011049411.tif 000003
【図２】
2011049411.tif 000004
【図３】
2011049411.tif 000005
【図４】
2011049411.tif 000006
【図５】
2011049411.tif 000007
【図６】
2011049411.tif 000008
【図７】
2011049411.tif 000009
【図８】
2011049411.tif 000010
【図９】
2011049411.tif 000011
【図１０】
2011049411.tif 000012
【図１１】
2011049411.tif 000013
【図１２】
2011049411.tif 000014